(57)【要約】    【目的】着水したときに短時間でボンベが作動し、直ちに救命具本体が膨張する救命胴衣を提供することを目的とする。    【構成】水に接触すると作動するボンベ２と、前記ボンベによって膨張可能な救命胴衣本体と、前記ボンベおよび前記救命胴衣本体を収納するための包装用外被１とを備えた救命胴衣において、前記包装用外被の上部に空気抜きスリット４を設けたことを特徴とする。前記包装用外被は２つの前身頃とこれらの前身頃を接続する後身頃を備えており、前記前身頃は上部布と下部布を接続して構成されているとともに、前記前身頃の上部布は下部布上に重ね合わされ、一部縫製することにより、空気抜きスリットが構成されている.【選択図】  図１
2006232121.tif 000002
【特許請求の範囲】
【請求項１】
水に接触すると作動するボンベと、前記ボンベによって膨張可能な救命胴衣本体と、前記ボンベおよび前記救命胴衣本体を収納するための包装用外被とを備えた救命胴衣において、前記包装用外被の上部に空気抜きスリットを設けたことを特徴とする救命胴衣。
【請求項２】
前記包装用外被は２つの前身頃とこれらの前身頃を接続する後身頃を備えており、前記前身頃は上部布と下部布を接続して構成されているとともに、前記前身頃の上部布は下部布上に重ね合わされ、一部縫製することにより、空気抜きスリットが構成されていることを特徴とする請求項１記載の救命胴衣。
【請求項３】
前記空気抜きスリットは、水の流れ方向に対し、水に接触したときにボンベを作動させるボンベの作動装置部の上流に設けられていることを特徴とする請求項１または２記載の救命胴衣。
【請求項４】
前記包装用外被は、２つの下垂部分とこれらの下垂部分を接続する首部分を備え、前記下垂部分の上部布は下部布上に重ね合わされ、一部縫製することにより、空気抜きスリットが構成されていることを特徴とする請求項１記載の救命胴衣。
【請求項５】
前記包装用外被は、２つの下垂部分とこれらの下垂部分を接続する首部分を備え、前記首部分の内側方向の布が蓋の作用を営むように外側方向の布上に一部重ね合わせて、一部縫製することにより、空気抜きスリットが構成されていることを特徴とする請求項１記載の救命胴衣。
【請求項６】
前記上部布および下部布の一部に面ファスナーあるいはボタンを設けたことを特徴とする請求項２または４記載の救命胴衣。
【請求項７】
前記内側方向の布および外側方向の布の一部に面ファスナーあるいはボタンを設けたことを特徴とする請求項５記載の救命胴衣。
【発明の詳細な説明】
【技術分野】
【０００１】
本発明は救命胴衣、更に詳細には水中に入ると自動的に膨張する形式の救命胴衣であって、前記膨張を迅速に行える救命胴衣に関する。
【背景技術】
【０００２】
救命胴衣は、たとえば図１に示すように、膨張気体が注入されて膨張可能な救命胴衣本体（図示せず）とこの救命胴衣本体を折り畳んで収納する包装用外被１を備えており、包装用外被１内に収納されたボンベ２により、前記救命胴衣本体を膨張させるようになっている。このような救命胴衣のうち、前記ボンベ２の作動装置部２１が水に触れることにより、前記ボンベが開状態になり、着水すると自動的に救命胴衣本体が膨張する形式の救命胴衣が知られている。
【０００３】
このようなボンベ２は、たとえば図１に示すようなチョッキ式の救命胴衣の場合、作業上の邪魔にならないように胸部分に設けるのが一般的である。
【発明の開示】
【発明が解決しようとする課題】
【０００４】
このような救命胴衣においては、着水すると包装用外被１に内に水が浸入し、ボンベ２に達し、作動装置部２１を作動させ、救命胴衣本体を膨張させることになる。この際、水は、通常下方部分（装着者の腰の部分）から浸入し、上部方向（肩部分方向）に上昇し、胸部分に設けられたボンベ２に到るが（図１の矢印参照）、このとき包装用外被１内の空気は、これに伴って上昇し、肩部分に滞留することになり、水の浸入を干渉することになる。したがって、速やかにボンベ２に水が到達せず、ボンベ２の作動装置部２１が作動するまで時間を要するという欠点があった。
【０００５】
本発明は、上述の課題を解決することを目的とするものであり、着水したときに短時間でボンベが作動し、直ちに救命具本体が膨張する救命胴衣を提供することを目的とする。
【課題を解決するための手段】
【０００６】
上記課題を解決するため、本発明による救命胴衣は、水に接触すると作動するボンベと、前記ボンベによって膨張可能な救命胴衣本体と、前記ボンベおよび前記救命胴衣本体を収納するための包装用外被とを備えた救命胴衣において、前記包装用外被の上部に空気抜きスリットを設けたことを特徴とする。
【発明の効果】
【０００７】
本発明によれば、着水し、水が包装用外被の下部より浸入し、上昇してきたとき、これにともない上昇する包装用外被内の空気は、包装用外被内に滞留することなく速やかに、上部に設けられた空気抜きスリットより漏洩する。このため短時間で水はボンベに達し、救命胴衣本体を迅速に膨張させることができる。すなわち短時間で浮力が得られるという利点を生じる。
【発明を実施するための最良の形態】
【０００８】
図１は本発明による一実施形態の正面図であるが、この図より明らかなようにチョッキ状の包装用外被１は、２つの前身頃１１とこれらの前身頃１１を接続する後身頃１２とを有し、前記前身頃１１，１１’の端部にはファスナー３が設けられており、通常のチョッキのように装着可能になっている。救命胴衣本体は前記前身頃１１から後身頃１２を介し他方の前身頃１１’にかけて折り畳まれて収納されている。
【０００９】
この実施態様において、ボンベ２は包装用外被１の一方の前身頃１１の胸部付近に設けられている。そして、本発明においては、前記包装用外被１の同様に胸部付近に空気抜きスリット４が設けられている。この実施形態においては、前記空気抜きスリット４は、前記前身頃１１，１１’の両側に設けられており、着水した後、水が包装用外被１内を上昇したときに、この包装用外被１内の空気が速やかにこの空気抜きスリット４，４’より漏洩可能になっている。
【００１０】
このような空気抜きスリット４，４’は、空気を漏洩させることにより水の浸入を容易にするためのものであるため、前記ボンベの作動装置部２１の上部（水の浸入方向に対し上流）に設けるのが好ましいことは明らかである。
【００１１】
このように包装用外被１内の空気が速やかに漏洩可能にすることにより、水は迅速にボンベ２に達し、作動装置部２１を作動させて、膨張気体を速やかに救命胴衣本体に注入することが可能になる。
【００１２】
図２および図３に示すように、前記包装用外被１の前身頃１１は、肩部分より胸部分までを構成する上部布１１１とこの上部布１１１に接続し腰部分までを構成する下部布１１２とよりなっている。そして上部布１１１は下部布１１２上に一部重ね合わされ、かつ両端部のみで縫製固定されている。このため、上部布１１１の中央部１１１Ｃは縫製されずフリーの状態になっており、下部布１１２の端部Ｓと上部布１１２の間に空気抜きスリット４が構成される。
【００１３】
このように上部布１１１を下部布上１１２に一部重ね合わせて空気抜きスリット４を構成したため、雨が降った場合など空気抜きスリット４から水が浸入しようとする場合、上部布１１１が蓋の作用を行い、前記包装用外被１内に水の浸入を防ぎ、ボンベ２の誤作動を防止することができる。
【００１４】
このような上部布１１１および下部布１１２間の一部に面ファスナーを設けることもできる。しかしながら、前記面ファスナーは、上述のように一部のみであり、完全に両布１１１，１１２を閉塞するものであってはならない。同様にボタンによって上部布１１１および下部布１１２を止めることもできる。このように何らかの手段で、上部布１１１および下部布１１２間を一部分固定することによって、雨などによる水の浸入を、さらに防止することができる。
【００１５】
上記実施の形態では、両方の胸部分に空気抜きスリットを形成したが、一方であってもよく、また２以上であってもよい。
【００１６】
図４は、本発明による他の形態を示したものであり、首かけ式の救命胴衣を示している。このような救命胴衣の包装用外被１は、２つの下垂部分１３，１３’とこの下垂部分１３，１３’を接続する首部分１４よりなっており、一般に首部分にボンベ２が備えられている。この場合、前述の図２および図３で示した様な構造、すなわち上部布１３１と下部布１３２を重ね合わせて一部縫製し、空気抜きスリット４、４’を構成したものを下垂部分１３，１３’に設けてもよく、図５に示すように首部分１４の外側端部近傍に空気抜きスリット４を設けてもよい。
【００１７】
この空気抜きスリット４も首部分１４の内側方向の布１４１が蓋の作用を営むように外側方向の布１４２上に一部重ね合わせて、図２および図３のように構成するのが好ましい。この場合、空気抜きスリット４は水の流れ方向に対しボンベ２の上流に設けられているので、効率よく水をボンベ２に案内可能になる。
【００１８】
また、図４に示すように前記スリット４，４’を下垂部分１３，１３’に設けた首かけ式の救命胴衣において、図６に示すように、前記スリット４（４’）の近傍で、前記スリット４（４’）が水の進行方向の上流になるようにボンベ２を設けた構造を採用することもできる。
【００１９】
このような上部布１３１（内側方向の布１４１）および下部布１３２間の一部に面ファスナーを設けることもできる。しかしながら、前記面ファスナーは、上述のように一部のみであり、完全に両布１３１，１３２（内側方向の布１４１および外側方向の布１４２）を閉塞するものであってはならない。同様にボタンによって上部布１３１（内側方向の布１４１）および下部布１３２（外側方向の布１４２）を止めることもできる。
【産業上の利用可能性】
【００２０】
本発明によれば、着水し、水が包装用外被の下部より浸入し、上昇してきたとき、これにともない上昇する包装用外被内の空気は、包装用外被内に滞留することなく速やかに、上部に設けられた空気抜きスリットより漏洩する。このため短時間で水はボンベに達し、救命胴衣本体を迅速に膨張させることができる。すなわち短時間で浮力が得られるという利点を生じる。
【図面の簡単な説明】
【００２１】
【図１】本発明の一実施形態の正面図。
【図２】空気抜きスリットの構造を示す斜視図。
【図３】空気抜きスリットの構造を示す断面図。
【図４】他の実施形態の正面図。
【図５】前記他の実施形態の裏面図。
【図６】他の実施形態を示す正面図。
【符号の説明】
【００２２】
１            包装用外被
１１          前身頃
１１１        上部布
１１２        下部布
１２          後身頃
１３          下垂部分
１４          首部分
１４１        内側方向布
１４２        外側方向布
２            ボンベ
２１          作動装置部
３            ファスナー
４            空気抜きスリット
【図１】
2006232121.tif 000003
【図２】
2006232121.tif 000004
【図３】
2006232121.tif 000005
【図４】
2006232121.tif 000006
【図５】
2006232121.tif 000007
【図６】
2006232121.tif 000008